(57)【要約】【課題】蒸発側熱交換器に付着した汚れ等をより効率的に洗浄することができる空気調和機および空気調和機の制御方法を提供する。【解決手段】空気調和機１は、室内熱交換器２０と、クロスフローファン２１と、超音波振動子２４と、制御部６０とを備える。室内熱交換器２０は、空気との間で熱交換を行う。クロスフローファン２１は、室内熱交換器２０に空気を通す。超音波振動子２４は、室内熱交換器２０を振動させる。制御部６０は、クロスフローファン２１の運転の抑制を開始してから所定時間後に室内熱交換器２０を加振手段により振動させる。【選択図】　　　　図２
2004037036.tif 000002
【特許請求の範囲】
【請求項１】
空気との間で熱交換を行う蒸発側熱交換器（２０，３０）と、
前記蒸発側熱交換器（２０，３０）に前記空気を通す送風手段（２１，３８）と、
前記蒸発側熱交換器（２０，３０）を振動させる加振手段（２４）と、
前記送風手段（２１，３８）の運転の抑制を開始してから所定時間後に前記蒸発側熱交換器（２０，３０）を前記加振手段（２４）により振動させる制御手段（６０）と、
を備える空気調和機（１）。
【請求項２】
前記加振手段は超音波振動を発振する超音波振動子（２４）である、
請求項１に記載の空気調和機（１）。
【請求項３】
前記蒸発側熱交換器は、室内へ送られる前記空気がとおる室内熱交換器（２０）である、
請求項１または２に記載の空気調和機（１）。
【請求項４】
前記制御手段（６０）は、前記送風手段（２１，３８）の運転の抑制を解除する時と概ね同時に、前記蒸発側熱交換器（２０，３０）を前記加振手段（２４）により振動させる、
請求項１から３のいずれかに記載の空気調和機（１）。
【請求項５】
前記制御手段（６０）は、前記加振手段（２４）による前記蒸発側熱交換器（２０，３０）の振動を終了させた後に、前記送風手段（２１，３８）の運転の抑制を解除する、
請求項１から４のいずれかに記載の空気調和機（１）。
【請求項６】
前記空気が吹出す吹出し口（２３１）と、
前記吹出し口（２３１）を開閉する開閉手段（２３２）と、
をさらに備え、
前記制御手段（６０）は、前記蒸発側熱交換器（２０，３０）を前記加振手段（２４）により振動させている間には前記開閉手段（２３２）により前記吹出し口（２３１）を閉じる、
請求項１から５のいずれかに記載の空気調和機（１）。
【請求項７】
空気との間で熱交換を行う蒸発側熱交換器（２０，３０）と、前記蒸発側熱交換器（２０，３０）に前記空気を通す送風手段（２１，３８）と、前記蒸発側熱交換器（２０，３０）を振動させる加振手段（２４）とを備える空気調和機（１）の制御方法であって、
前記送風手段（２１，３８）の運転の抑制を開始する第１ステップ（Ｓ３）と、
前記送風手段（２１，３８）の運転の抑制を開始してから所定時間後に前記蒸発側熱交換器（２０，３０）を前記加振手段（２４）により振動させる第２ステップ（Ｓ４）と、
を備える空気調和機（１）の制御方法。
【発明の詳細な説明】
【０００１】
【発明の属する技術分野】
本発明は、空気調和機および空気調和機の制御方法に関する。
【０００２】
【従来の技術】
空気との間で熱交換を行う熱交換器を備える空気調和機においては、熱交換器の表面に埃等の汚れが付着して熱交換率の低下を招くことや熱交換器にカビが発生して臭気が生じること等があるため、特開２００１−２０８３６７号広報において開示されている空気調和機のように熱交換器の洗浄が行われることが多い。
【０００３】
ところで、ヒートポンプサイクルにおいて空気調和機を運転すると、蒸発側熱交換器の表面温度が低下する。このとき、蒸発側熱交換器に空気をとおすファン等を停止させておくと、蒸発側熱交換器の表面に結露による水滴が発生しやすくなる。近年、空気調和機の運転開始時などに意図的にファン等の運転を抑制して蒸発側熱交換器に結露を生じさせる制御が行われることがある。このような制御によれば、結露により生じた水滴が成長して自重により滴下する際に、蒸発側熱交換器の表面の汚れ等が洗い流されて蒸発側熱交換器の洗浄を行うことができる。
【０００４】
【発明が解決しようとする課題】
上記の様な制御によれば簡易に蒸発側熱交換器の洗浄を行うことができる。しかし、蒸発側熱交換器に付着した汚れ等は前述したように熱交換の能力の低下や臭気の発生などの原因となるため、熱交換蒸発側熱交換器に付着した汚れ等は、より効率的に洗浄されることが望ましい。
【０００５】
本発明の課題は、蒸発側熱交換器に付着した汚れ等をより効率的に洗浄することができる空気調和機および空気調和機の制御方法を提供することにある。
【０００６】
【課題を解決するための手段】
請求項１に記載の空気調和機は、蒸発側熱交換器と、送風手段と、加振手段と、制御手段とを備える。蒸発側熱交換器は、空気との間で熱交換を行う。送風手段は、蒸発側熱交換器に空気を通す。加振手段は、蒸発側熱交換器を振動させる。制御手段は、送風手段の運転の抑制を開始してから所定時間後に蒸発側熱交換器を加振手段により振動させる。
【０００７】
この空気調和機では、制御部が、送風手段の運転の抑制を開始してから所定時間後に蒸発側熱交換器を加振手段により振動させる。送風手段の運転の抑制が開始されると、蒸発側熱交換器の表面に結露による水滴が発生して所定期間に成長する。そして、蒸発側熱交換器が振動することにより、成長して大きくなった水滴が蒸発側熱交換器に付着した汚れ等と共に滴下する。このように、この空気調和機では、水滴の滴下を振動により促進させることができる。従って、この空気調和機によれば、蒸発側熱交換器に付着した汚れ等をより効率的に洗浄することができる。
【０００８】
請求項２に記載の空気調和機は、請求項１に記載の空気調和機であって、加振手段は超音波振動を発振する超音波振動子である。
この空気調和機では、蒸発側熱交換器に超音波振動が加えられる。このため、超音波洗浄の効果により、蒸発側熱交換器の表面に付着した汚れ等がより効果的に洗い流される。これにより、この空気調和機によれば、蒸発側熱交換器に付着した汚れ等に対する洗浄効果をさらに高めることができる。
【０００９】
請求項３に記載の空気調和機は、請求項１または２に記載の空気調和機であって、蒸発側熱交換器は、室内へ送られる空気がとおる室内熱交換器である。
この空気調和機では、室内へ送られる空気がとおる室内熱交換機に付着した汚れ等を効率よく洗浄することができる。このため、室内熱交換器に付着した汚れやカビ等の臭気が室内へ吹き込むことを低減させることができる。
【００１０】
請求項４に記載の空気調和機は、請求項１から３のいずれかに記載の空気調和機であって、制御手段は、送風手段の運転の抑制を解除する時と概ね同時に、蒸発側熱交換器を加振手段により振動させる。
この空気調和機では、制御部は、送風手段の運転の抑制を解除する時と概ね同時に、蒸発側熱交換器を加振手段により振動させる。このため、送風手段の運転が抑制されている間に成長した水滴が十分に成長した状態で滴下させることができる。これにより、この空気調和機では、蒸発側熱交換器に付着した汚れ等をよりよく落とすことができる。
【００１１】
請求項５に記載の空気調和機は、請求項１から４のいずれかに記載の空気調和機であって、制御手段は、加振手段による蒸発側熱交換器の振動を終了させた後に、送風手段の運転の抑制を解除する。
蒸発側熱交換器を通った空気が機外へ吹出す場合、蒸発側熱交換器に水滴が付着していると機外へ吹出す空気と共に水滴が機外へと吹出す恐れがある。
【００１２】
しかし、この空気調和機では、蒸発側熱交換器に振動を加えることにより蒸発側熱交換器の表面に付着した水滴の滴下を促進させた後に送風手段の運転の抑制を解除する。このため、送風手段の運転の抑制が解除されたときには、蒸発側熱交換器に付着している水滴は減少している。これにより、この空気調和機では、水滴が機外へと吹出す恐れを低減させることができる。
【００１３】
請求項６に記載の空気調和機は、請求項１から５のいずれかに記載の空気調和機であって、空気が吹出す吹出し口と、吹出し口を開閉する開閉手段とをさらに備える。そして、制御手段は、蒸発側熱交換器を加振手段により振動させている間には開閉手段により吹出し口を閉じる。
この空気調和機では、制御手段は、蒸発側熱交換器を加振手段により振動させている間には開閉手段により吹出し口を閉じる。このため、蒸発側熱交換器に付着した水滴が空気と共に機外へ吹出すことを低減させることができる。
【００１４】
請求項７に記載の空気調和機の制御方法は、空気との間で熱交換を行う蒸発側熱交換器と、蒸発側熱交換器に空気を通す送風手段と、蒸発側熱交換器を振動させる加振手段とを備える空気調和機の制御方法であって、送風手段の運転の抑制を開始する第１ステップと、送風手段の運転の抑制を開始してから所定時間後に蒸発側熱交換器を加振手段により振動させる第２ステップとを備える。
【００１５】
この空気調和機の制御方法では、送風手段の運転の抑制を開始してから所定時間後に蒸発側熱交換器を加振手段により振動させる。送風手段の運転の抑制が開始されると、蒸発側熱交換器の表面に結露による水滴が発生して所定期間に成長する。そして、蒸発側熱交換器が振動することにより、成長して大きくなった水滴が蒸発側熱交換器に付着した汚れ等と共に滴下する。このように、この空気調和機の制御方法では、水滴の滴下を振動により促進させることができる。従って、この空気調和機の制御方法によれば、蒸発側熱交換器に付着した汚れ等をより効率的に洗浄することができる。
【００１６】
【発明の実施の形態】
＜構成＞
〔空気調和機の外観〕
本発明の一実施形態が採用された空気調和機１の外観を図１に示す。
この空気調和機１は、室内の壁面などに取り付けられる室内機２と、室外に設置される室外機３とを備えている。
【００１７】
室内機２内には室内熱交換器が収納され、室外機３内には室外熱交換器が収納されており、各熱交換器が冷媒配管４により接続されることにより冷媒回路を構成している。
〔空気調和機の構成〕
空気調和機１の冷媒回路５の構成を図２に示す。この冷媒回路５は、主として室内熱交換器２０、アキュムレータ３１、圧縮機３２、四路切換弁３３、室外熱交換器３０及び電動膨張弁３４で構成される。
【００１８】
室内機２に設けられている室内熱交換器２０は、長さ方向両端で複数回折り返されてなる伝熱管と、伝熱管が挿通される複数のフィンとからなり、接触する空気との間で熱交換を行う。また、室内機２には、室内空気を吸い込んで室内熱交換器２０との間で熱交換を行った後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられるファンモータ２２によって回転駆動される。
【００１９】
室内機２の断面図を図３に示す。前述した室内熱交換器２０とクロスフローファン２１とは、室内機２のケーシング２３内に収容されており、室内熱交換器２０はクロスフローファン２１の前方、上方および後部上方を取り囲むように取り付けられている。室内熱交換器２０は、クロスフローファン２１の駆動により吸込口２３０から吸い込まれた空気をクロスフローファン２１側に通過させ、伝熱管内部を通過する冷媒との間で熱交換を行わせる。
【００２０】
また、室内熱交換器２０の下方には、熱交換時に室内熱交換器の表面に発生する水滴を受け取るためのドレンパン２３４が設けられている。このドレンパン２３４には、受け取った水滴を外部に排出するためのドレンホース（図示せず）が取り付けられている。冷房運転時には、室内熱交換器２０は蒸発側熱交換器として作用するため、室内熱交換器２０と接触する空気中に含まれる水分が凝縮して水滴となって滴下する。ドレンパン２３４は、このような水滴を受け取ってドレンホースによって排水するように構成されている。
【００２１】
ケーシング２３の上部には、複数のスリット状の開口からなる吸込み口２３０が設けられている。ケーシング２３の下部には室内機２の長手方向に長い開口からなる吹出し口２３１が設けられている。また、吹出し口２３１には、室内へと吹出す空気が案内される水平フラップ２３２が設けられている。この水平フラップ２３２は、室内機２の長手方向に平行な軸を中心に回動自在に設けられている。水平フラップ２３２は、フラップモータ２３３（図５参照）によって回動することにより、吹出し口２３１の開閉を行うことができる。
【００２２】
また、図４に示すように、室内熱交換器２０の側面には超音波振動子２４が設けられている。超音波振動子２４は、室内熱交換器２０に直接接触するように設けられており、超音波振動子２４が振動することにより、その振動を室内熱交換器２０へと伝えて室内熱交換器２０を振動させる。超音波振動子２４は、約１００ｋＨｚの周波数を有する超音波振動を発振する。
【００２３】
室外機３には、図２に示すように、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。
【００２４】
室外機３には、室外熱交換器３０での熱交換後の空気を外部に排出するためのプロペラファン３８が設けられている。このプロペラファン３８は、ファンモータ３９によって回転駆動される。
また、図５に示すように、空気調和機１には、圧縮機３２、四路切換弁３３、電動膨張弁３４、プロペラファン３８、ファンモータ２２、フラップモータ２３３、超音波振動子２４、リモコン５０等と接続される制御部６０が設けられている。リモコン５０に入力された空気調和機１の運転内容は、制御部６０へと送られ、制御部は、各構成に対して制御信号を出力することにより空気調和機１の運転を制御する。
【００２５】
以下、本発明において特徴的な室内熱交換器２０の洗浄に関する制御について説明する。
＜室内熱交換器の洗浄に関する制御＞
制御部６０は、クロスフローファン２１による送風を停止させてから所定時間後に超音波振動子２４により室内熱交換器２０を振動させることにより、室内熱交換器２０の洗浄を行う。室内熱交換器２０の洗浄に関する制御における各構成の制御のタイミングチャートを図６に示す。
【００２６】
リモコン５０から空気調和機１の運転の開始が入力されると制御部６０は、圧縮機３２を起動させる。圧縮機３２が起動されると室内熱交換器２０及び室外熱交換器３０において熱交換が行われる。空気調和機１が冷房運転を行っている場合は、室内熱交換器２０は蒸発側熱交換器として機能している。
制御部６０は、圧縮機３２の起動後、直ちにファンモータ２２を駆動してクロスフローファン２１による送風を開始させるのではなく、図中矢印Ｄ１で示される期間だけ遅らせてからファンモータ２２の駆動を開始させる。ここで、この期間は約１〜２分程度の時間である。冷房運転時には室内熱交換器２０の表面の温度が低下するため、空気中の水分が冷やされて室内熱交換器２０の表面で結露することにより水滴が生じる。制御部は、圧縮機３２の起動後にファンモータ２２を１〜２分ほど停止させておくことにより、クロスフローファン２１による送風を停止させ、室内熱交換器２０の表面の温度をさらに低下させて室内熱交換器２０の表面に結露した水滴を成長させる。
【００２７】
制御部６０は、上記のように意図的に水滴を成長させた後、超音波振動子２４を駆動して室内熱交換器２０に超音波振動を加える。制御部６０は、図中の矢印Ｄ２で示される期間だけ超音波振動子２４を駆動する。ここで、この超音波振動子２４を駆動する期間は、約１０秒である。室内熱交換器２０の表面に生じている水滴は、超音波振動により室内熱交換器２０の表面から滴下する。このとき、水滴は、室内熱交換器２０に付着した汚れやカビ等を洗い流し、ドレンパン２３４により回収される。
【００２８】
制御部６０は、約１０秒間、超音波振動子２４を駆動して室内熱交換器２０を振動させると共に、振動の開始と概ね同時にファンモータ２２の駆動を開始させて徐々にクロスフローファン２１の回転数を上昇させる（図中矢印Ｄ３で示される期間）。そして、制御部６０は、室内熱交換器２０の振動を終了させた後にファンモータ２２を完全に駆動させてクロスフローファン２１による送風を完全に機能させる（図中矢印Ｄ４で示される期間）。クロスフローファン２１が完全に回転し始めると室内熱交換器２０と空気との熱交換が促進されて室内熱交換器２０の温度が若干上昇する。
【００２９】
なお、上記のように空気調和機１の運転の開始から超音波振動子２４の振動が停止するまでの間、制御部６０は、フラップモータ２３３を駆動して水平フラップ２３２により吹出し口２３１を閉じる。あるいは、空気調和機１の運転を開始した際に吹出し口２３１が水平フラップ２３２により閉じられた状態の場合は、超音波振動子２４の振動が停止するまで吹出し口２３１を閉じた状態のままにしておき、超音波振動子２４の振動が停止した後に吹出し口２３１を開く。
【００３０】
上記の制御内容を表すフローチャートを図７に示す。
まず、ステップＳ１において、リモコン５０から空気調和機１の運転開始が制御部６０へ入力されて、空気調和機１の運転が開始される。そして、ステップＳ２において直ちに圧縮機３２が起動される。
圧縮機３２が起動された後、ファンモータ２２は、直ちに起動されるのではなく、ステップＳ３において１〜２分ほど停止した状態で抑制される。この間、クロスフローファン２１による送風は停止している。
【００３１】
ファンモータ２２の抑制が開始されてから１〜２分後に、ステップＳ４において、超音波振動子２４が駆動されて室内熱交換器２０に超音波振動が加えられる。また、超音波振動の開始と概ね同時にステップＳ５においてファンモータ２２の駆動が開始される。
その後、ステップＳ６において、超音波振動は、開始から約１０秒後に停止される。
【００３２】
超音波振動の停止後に、ファンモータ２２の回転は通常の回転数に達して、ステップＳ７において通常運転が行われる。
なお、上記の室内熱交換器２０の洗浄に関する制御においては、空気調和機１の運転を開始した当初に洗浄を行う場合について説明したが、空気調和機１の運転を行っている途中で室内熱交換器２０の洗浄を行ってもよい。すなわち、空気調和機１の運転を行っている間に圧縮機３２を駆動させたままでファンモータ２２のみを停止させることにより、室内熱交換器２０の温度を低下させる。そして、水滴が成長した後に、室内熱交換器２０を振動させて室内熱交換器２０の洗浄を行ってもよい。
【００３３】
また、上記の制御では冷房運転について説明しているが、暖房運転においても運転開始の当初のみ四路切換弁３３を冷房側に切り替えることにより室内熱交換器２０の温度を低下させて上記と同様の洗浄を行うことができる。
＜特徴＞
（１）この空気調和機１では、室内熱交換器２０に生じた水滴を成長させた後に超音波振動を加えて滴下させるため、水滴の滴下が促進される。従って、振動を加えずに自重によって水滴が滴下する場合と比べて、効率よく室内熱交換器２０に付着した汚れやカビ等を洗い流すことができる。また、室内熱交換器２０は超音波の周波数で振動するため、超音波洗浄の効果により高い洗浄効果が得られる。すなわち、室内熱交換器２０の表面に付着した汚れ等は、超音波振動により浮き上がり剥がれやすくなり、水滴と共に容易に洗い流される。このため、この空気調和機１では、悪臭の原因となる室内熱交換器２０の汚れやカビを効率よく洗浄することができる。従って、この空気調和機１は、室内へ悪臭が吹出すことを防止することができる。これにより、室内の居住者等に不快感を与えることを防止することができる。また、室内熱交換器２０に埃等が付着していると熱交換率の低下を招くが、この空気調和機１によれば、このような埃等も効果的に洗浄することができ、熱交換率の低下を防止することができる。
【００３４】
（２）この空気調和機１では、室内熱交換器２０に振動を加えることにより水滴を滴下させる。このため、室内熱交換器２０に生じた水滴を確実に落とすことができる。ファンモータ２２を駆動してクロスフローファン２１により空気を通し始めたときに室内熱交換器２０に水滴が残っていると、空気と共に室内へ吹出してしまう恐れがある。しかし、この空気調和機１では、室内熱交換器２０に振動を加えることにより室内熱交換器２０に生じた水滴を確実に落とすことができる。このため、上記の様に水滴が室内へ吹出すことを防止することができる。
【００３５】
また、この空気調和機１では、室内熱交換器２０に振動が加えられている間には水平フラップ２３２により吹出し口２３１が閉じられている。このため、水滴が室内へ吹出すことをより確実に防止することができる。
なお、上記の制御では、超音波振動が終了する前にファンモータ２２の駆動が開始されているが、超音波振動が終了した後にファンモータ２２の駆動を開始させてもよい。この場合、水滴を十分に滴下させた後にファンモータ２２が駆動されるため、水滴が室内へ吹出すことをより確実に防止することができる。
【００３６】
（３）この空気調和機１では、室内熱交換器２０に振動を加えることにより水滴を滴下させるため、自重により滴下させる場合よりも短時間で水滴を滴下させることができる。室内熱交換器２０に成長した水滴が多量に付いている場合にクロスフローファン２１を回転させると室内へと水滴が吹出してしまう恐れがある。従って、水滴の室内への吹出しを防止するためには、ある程度水滴を滴下させてからクロスフローファン２１を回転させることが望ましい。しかし、水滴が成長して自重により滴下するのを待っていたのでは、クロスフローファン２１を回転させて冷房運転を立ち上げるための処理時間が長くなってしまう。しかし、この空気調和機１では、振動を加えることにより短時間で水滴を滴下させることができるため、冷房運転の立ち上げるための処理時間を短縮することができる。
【００３７】
また、この空気調和機１では、超音波振動を開始した後、超音波振動が終了する前にファンモータ２２を徐々に駆動させている。このため、超音波振動が終了した後にファンモータ２２の駆動を開始させる場合よりも冷房運転の立ち上げるための処理時間が短縮されている。
＜他の実施形態＞
（１）上記の実施形態においては、室内熱交換器２０の洗浄について説明しているが、室外熱交換器３０の洗浄に応用してもよい。すなわち、プロペラファン３８を停止させて意図的に水滴を成長させた後に室外熱交換器３０に超音波振動を加えることにより、室外熱交換器３０の洗浄を行ってもよい。この場合も上記と同様の効果が得られる。
【００３８】
また、室外熱交換器３０は暖房時には蒸発側熱交換器として機能するため結露が生じやすくなり、結露した水分が凍結して室外熱交換器３０に着氷することがある。この場合、空気調和機１の暖房能力が低下する恐れがある。しかし、室外熱交換器３０に超音波振動子２４を設けて超音波振動を加えれば、結露した水分を滴下させて着氷を防ぐことができる。この場合、室外熱交換器３０に超音波振動を定期的に加えることにより、定期的に水分を滴下させて運転中の室外熱交換器３０への着氷を防ぐことができる。なお、超音波振動を加えるタイミングを定期的にではなく、水分を滴下させることが必要となる所定の条件を満たした場合に行うこととしても同様の効果が得られる。
【００３９】
（２）上記の実施形態においては、超音波振動の周波数を約１００ｋＨｚとしているが、これに限定されるものではなく、例えば、２０ｋＨｚや４０ｋＨｚ等の周波数のように超音波洗浄による高い洗浄効果が得られる周波数であればよい。
また、超音波の周波数に限らず、それよりも低い周波数の振動であっても、水滴の滴下の促進については上記と同様の効果が得られる。
【００４０】
【発明の効果】
請求項１に記載の空気調和機では、制御部が、送風手段の運転の抑制を開始してから所定時間後に蒸発側熱交換器を加振手段により振動させる。送風手段の運転の抑制が開始されると、蒸発側熱交換器の表面に結露による水滴が発生して所定期間に成長する。そして、蒸発側熱交換器が振動することにより、成長して大きくなった水滴が蒸発側熱交換器に付着した汚れ等と共に滴下する。このように、この空気調和機では、水滴の滴下を振動により促進させることができる。従って、この空気調和機によれば、蒸発側熱交換器に付着した汚れ等をより効率的に洗浄することができる。
【００４１】
請求項２に記載の空気調和機では、蒸発側熱交換器に超音波振動が加えられる。このため、超音波洗浄の効果により、蒸発側熱交換器の表面に付着した汚れ等がより効果的に洗い流される。これにより、この空気調和機によれば、蒸発側熱交換器に付着した汚れ等に対する洗浄効果をさらに高めることができる。
請求項３に記載の空気調和機では、室内へ送られる空気がとおる室内熱交換機に付着した汚れ等を効率よく洗浄することができる。このため、室内熱交換器に付着した汚れやカビ等の臭気が室内へ吹き込むことを低減させることができる。
【００４２】
請求項４に記載の空気調和機では、制御部は、送風手段の運転の抑制を解除する時と概ね同時に、蒸発側熱交換器を加振手段により振動させる。このため、送風手段の運転が抑制されている間に成長した水滴が十分に成長した状態で滴下させることができる。これにより、この空気調和機では、蒸発側熱交換器に付着した汚れ等をよりよく落とすことができる。
【００４３】
請求項５に記載の空気調和機では、蒸発側熱交換器に振動を加えることにより蒸発側熱交換器の表面に付着した水滴の滴下を促進させた後に送風手段の運転の抑制を解除する。このため、送風手段の運転の抑制が解除されたときには、蒸発側熱交換器に付着している水滴は減少している。これにより、この空気調和機では、水滴が機外へと吹出す恐れを低減させることができる。
【００４４】
請求項６に記載の空気調和機では、制御手段は、蒸発側熱交換器を加振手段により振動させている間には開閉手段により吹出し口を閉じる。このため、蒸発側熱交換器に付着した水滴が空気と共に機外へ吹出すことを低減させることができる。
請求項７に記載の空気調和機の制御方法では、送風手段の運転の抑制を開始してから所定時間後に蒸発側熱交換器を加振手段により振動させる。送風手段の運転の抑制が開始されると、蒸発側熱交換器の表面に結露による水滴が発生して所定期間に成長する。そして、蒸発側熱交換器が振動することにより、成長して大きくなった水滴が蒸発側熱交換器に付着した汚れ等と共に滴下する。このように、この空気調和機の制御方法では、水滴の滴下を振動により促進させることができる。従って、この空気調和機の制御方法によれば、蒸発側熱交換器に付着した汚れ等をより効率的に洗浄することができる。
【図面の簡単な説明】
【図１】空気調和機の外観図。
【図２】冷媒回路の構成図。
【図３】室内機の断面図。
【図４】超音波振動子の配置を示す図。
【図５】制御ブロック図。
【図６】室内熱交換器の洗浄に関する制御のタイミングチャート。
【図７】室内熱交換器の洗浄に関する制御のフローチャート。
【符号の説明】
１　　　　　　　　　空気調和機
２０　　　　　　　　室内熱交換器（蒸発側熱交換器）
２１　　　　　　　　クロスフローファン（送風手段）
２４　　　　　　　　超音波振動子（加振手段）
３０　　　　　　　　室外熱交換器（蒸発側熱交換器）
３８　　　　　　　　プロペラファン（送風手段）
６０　　　　　　　　制御部（制御手段）
２３１　　　　　　　吹出し口
２３２　　　　　　　水平フラップ（開閉手段）
【図１】
2004037036.tif 000003
【図２】
2004037036.tif 000004
【図３】
2004037036.tif 000005
【図４】
2004037036.tif 000006
【図５】
2004037036.tif 000007
【図６】
2004037036.tif 000008
【図７】
2004037036.tif 000009